(57)【要約】  室内機（２ａ，２ｂ）と室外機（３）とが冷媒を流通する冷媒配管（４ａ，４ｂ）を介して接続された空気調和装置（１）であって、室内機における冷媒の漏洩を検知する冷媒検知部（９）と、冷媒の漏洩が発生した旨を報知するための報知部（１０，１１，２０）と、ネットワークを介して外部の端末機器と通信可能な通信部（１５）と、少なくとも報知部および通信部を制御する制御部（１３）と、を備える。報知部には、室内機を操作するためのリモコンにおける表示部に加えて、室内機の筐体表面に設けられた表示部（１０）またはスピーカー（１１）のうちの少なくとも一つと、外部の端末機器（２０）とが含まれ、制御部は、冷媒検知部によって冷媒の漏洩が検知された場合、冷媒の漏洩が発生した旨を報知するように報知部および通信部を制御する。これにより、冷媒の漏洩に関する警告を、室内機に設けられた報知部のみならず外部の端末機器においても報知することで、室内機の近くにいないユーザーにも当該報知に対する注意度を高めて気付かせ易くすることができ、冷媒の漏洩を十分に周知させることができる。
2020110216.tif 000002
【特許請求の範囲】
【請求項１】
室内機と室外機とが冷媒を流通する冷媒配管を介して接続された空気調和装置であって、  前記室内機における前記冷媒の漏洩を検知する冷媒検知部と、  前記冷媒の漏洩が発生した旨を報知するための報知部と、  ネットワークを介して外部の端末機器と通信可能な通信部と、  少なくとも前記報知部および前記通信部を制御する制御部と、を備え、  前記報知部には、  前記室内機を操作するためのリモコンにおける表示部に加えて、前記室内機の筐体表面に設けられた表示部またはスピーカーのうちの少なくとも一つと、前記外部の端末機器とが含まれ、  前記制御部は、  前記冷媒検知部によって前記冷媒の漏洩が検知された場合、前記冷媒の漏洩が発生した旨を報知するように前記報知部および前記通信部を制御する空気調和装置。
【請求項２】
前記表示部と前記スピーカーとの少なくとも一方が、前記筐体表面に設けられた温度センサーまたは前記リモコンからの操作信号を受信するための受光部の少なくとも一方と隣り合って設置されている請求項１に記載の空気調和装置。
【請求項３】
前記表示部と前記スピーカーとの少なくとも一方が、前記筐体表面に設けられた温度センサーまたは前記リモコンからの操作信号を受信するための受光部の少なくとも一方と離間して設置されている請求項２に記載の空気調和装置。
【請求項４】
前記通信部は、前記リモコンに設けられている請求項１〜３のいずれか一項に記載の空気調和装置。
【請求項５】
前記冷媒配管に設けられ、前記室内機と前記室外機との間における前記冷媒の流通を遮断するための遮断弁を更に備え、  前記制御部は、  前記冷媒検知部によって前記冷媒の漏洩が検知された場合、前記遮断弁を開状態から閉状態に切り替える請求項１〜４のいずれか一項に記載の空気調和装置。
【請求項６】
前記制御部は、  前記冷媒検知部によって前記冷媒の漏洩が検知された場合、前記室内機の送風機を強制運転させる請求項１〜５のいずれか一項に記載の空気調和装置。
【請求項７】
前記室内機が複数設けられ、  前記制御部は、  複数の前記室内機のうち、前記冷媒検知部によって前記冷媒の漏洩が検知された室内機と、その他の室内機とで、前記冷媒の漏洩が発生した旨の報知を異ならせるように前記報知部を制御する請求項１〜６のいずれか一項に記載の空気調和装置。
【発明の詳細な説明】
【技術分野】
【０００１】  本発明は、室内機と室外機とが冷媒を流通する冷媒配管を介して接続された空気調和装置に関する。
【背景技術】
【０００２】  近年、地球温暖化対策の観点から、空気調和装置に使用される冷媒において、地球温暖化係数の低い冷媒への転換が求められている。よって、このような冷媒としては、ＨＦＣ４１０Ａに比べて地球温暖化係数の低いＨＦＣ３２が主流となっている。【０００３】  ところが、かかるＨＦＣ３２は微燃性である。また、その他の地球温暖化係数の低い冷媒においても燃焼性の度合いは別として可燃性のものが多い。そして、このような地球温暖化係数の低い冷媒としては、今後、より環境負荷が小さいプロパン、またはＣＯ２等へ置き換えることも検討されており、安全性への更なる配慮が必要である。【０００４】  ここで、仮に、ユーザーが可燃性の冷媒の漏洩に気付かないまま、一定時間が経過したとする。この場合、冷媒が漏洩している室内機を設置した室内では換気が行われず、冷媒が拡散されないため、溜まった冷媒によって冷媒濃度の高い箇所が生じる虞がある。そのため、緊急性が問われるので、可燃性の冷媒が漏洩した際は何らかの報知手段により、ユーザーに対して早急に認識させる必要がある。【０００５】  従来の報知手段としては、例えば特許文献１に記載された空気調和装置のように、室内機の化粧パネルに設けられたランプを点灯させたり、または室内機に設けられたスピーカーから音声もしくはブザー等の音を鳴らしたりして報知するものが一般的である。また、この他、室内機が設置される室内に設けられた当該室内機を操作するためのリモコンの表示部に冷媒の漏洩を知らせるための表示を行うものも知られている。
【先行技術文献】
【特許文献】
【０００６】
【特許文献１】特開２０１６−２２３６５０号公報
【発明の概要】
【発明が解決しようとする課題】
【０００７】  かかる特許文献１に記載の空気調和装置においては、冷媒の漏洩が発生した場合に、当該冷媒の漏洩が発生した室内機および、その他の室内機の近くにいるユーザーに対して報知することはできる。しかしながら、それら室内機の近くにいないユーザーに対しては報知する術がなかった。【０００８】  従って、特許文献１に記載の空気調和装置の場合、冷媒の漏洩が発生した室内機の近くにユーザーがいなければ、当該冷媒の漏洩を知らせることができないため、当該冷媒の漏洩が発生したことが周知されない虞があった。  また、室内機の近くにユーザーがいたとしても、そのユーザーが何らかの理由で冷媒の漏洩に関する報知に気付かなかった場合、同じ状態で報知を続けても当該冷媒の漏洩が周知される可能性が低く、冷媒の漏洩に関する報知態様としては不十分であった。【０００９】  そこで、本発明は、上述した課題を解決するためのものであり、冷媒の漏洩に関する警告を、室内機の近くのみならず外部の端末機器においても報知することで、室内機の近くにいないユーザーにも当該報知に対する注意度を高めて気付かせ易くすることができ、冷媒の漏洩を十分に周知させることができる空気調和装置を提供することを目的とする。
【課題を解決するための手段】
【００１０】  本発明に係る空気調和装置は、室内機と室外機とが冷媒を流通する冷媒配管を介して接続された空気調和装置であって、前記室内機における前記冷媒の漏洩を検知する冷媒検知部と、前記冷媒の漏洩が発生した旨を報知するための報知部と、ネットワークを介して外部の端末機器と通信可能な通信部と、少なくとも前記報知部および前記通信部を制御する制御部と、を備え、前記報知部には、前記室内機を操作するためのリモコンにおける表示部に加えて、前記室内機の筐体表面に設けられた表示部またはスピーカーのうちの少なくとも一つと、前記外部の端末機器とが含まれ、前記制御部は、前記冷媒検知部によって前記冷媒の漏洩が検知された場合、前記冷媒の漏洩が発生した旨を報知するように前記報知部および前記通信部を制御するものである。
【発明の効果】
【００１１】  本発明に係る空気調和装置によれば、冷媒の漏洩に関する警告を、室内機に設けられた報知部のみならず外部の端末機器においても報知することで、室内機の近くにいないユーザーにも当該報知に対する注意度を高めて気付かせ易くすることができ、冷媒の漏洩を十分に周知させることができる。
【図面の簡単な説明】
【００１２】
【図１】本発明の実施の形態１に係る空気調和装置を示す構成図である。
【図２】本発明の実施の形態１に係る空気調和装置の設置例を示す説明図である。
【図３】本発明の実施の形態１に係る空気調和装置の冷媒回路を示す模式図である。
【図４】本発明の他の実施の形態に係る空気調和装置の室内機を示す平面図である。
【図５】本発明の他の実施の形態に係る空気調和装置の室内機を示す平面図である。
【図６】本発明の他の実施の形態に係る空気調和装置の室内機を示す平面図である。
【図７】本発明の他の実施の形態に係る空気調和装置の室内機を示す平面図である。
【図８】本発明の他の実施の形態に係る空気調和装置の室内機を示す平面図である。
【図９】本発明の他の実施の形態に係る空気調和装置の室内機を示す平面図である。
【図１０】本発明の他の実施の形態に係る空気調和装置の室内機を示す平面図である。
【発明を実施するための形態】
【００１３】  以下、図面に基づいて本発明の実施の形態について説明する。なお、明細書全文に示す構成要素の形態は、あくまで例示であってこれらの記載に限定されるものではない。すなわち、本発明は、請求の範囲および明細書全体から読み取ることのできる発明の要旨または思想に反しない範囲で適宜変更可能である。また、そのような変更を伴う空気調和装置も本発明の技術思想に含まれる。さらに、各図において、同一の符号を付したものは、同一のまたはこれに相当するものであり、これは明細書の全文において共通している。
【００１４】実施の形態１．＜空気調和装置１の構成＞  図１は、本発明の実施の形態１に係る空気調和装置を示す構成図である。図２は、本発明の実施の形態１に係る空気調和装置の設置状態を示す概念図である。図１および図２に示すように、本実施の形態１に係る空気調和装置１は、複数の室内機２ａ、２ｂと室外機３とが冷媒を流通する冷媒配管４ａ、４ｂを介して接続されている。なお、室内機２ａ、２ｂは室外機３に対して単数または複数設けられるが、本実施の形態１の場合、２台設けられることでマルチ型の空気調和装置１を構築している。また、以下の説明において、室内機２ａ、２ｂは同一の構成からなるため、本実施の形態１では便宜上、図２を除き室内機２ａのみを図示して説明することとする。さらに、冷媒配管４ａ、４ｂも同様に、図２では、冷媒配管４ａのみを図示して説明することとする。
【００１５】  室内機２ａ、２ｂは空調対象空間である室内Ｅの天井面Ｒに設置され、平面が矩形状の筐体表面側に化粧パネル５が取り付けられている。すなわち、室内機２ａ、２ｂは一つの室内Ｅの天井面Ｒに、それぞれ化粧パネル５が露出した状態で設置されている。化粧パネル５は、空調空気を４方向に吹出すことのできる４方向吹出し型で構成されている。なお、室内機２ａ、２ｂは、同じ室内Ｅに設置されてもよいし、異なる複数の室内に設置されてもよい。また、室内機２ａ、２ｂは、各室内に単数または複数設置される。さらに、化粧パネル５は４方向吹出し型に限らず、２方向吹き出し型であってもよいし、この他種々の態様を広く適用できる。
【００１６】  室内機２ａ、２ｂの中央部には、室内空気を吸込む吸込口６が設けられている。この吸込口６の奥側には、例えばファンからなる送風機７が設けられている。また、吸込口６の周囲には、熱交換された空調空気を４方向に吹出すための４箇所の吹出口が設けられている。そして、これら４箇所の吹出口には、それぞれ吹出す空調空気の吹出し風向を制御するためのルーバー８ａ〜８ｄが設けられている。
【００１７】  また、室内機２ａ、２ｂには、冷媒の漏洩を検知する冷媒検知部としての冷媒センサー９が設けられている。冷媒センサー９は、ＨＦＣ３２、または今後環境保護のために冷媒として使用される可能性のあるＬＰガス等の冷媒ガスの存在を検知し、その検知結果であるガスの濃度をセンサー出力（ｐｐｍ）として発信するガスセンサである。冷媒センサー９としては、例えば還元ガスが検知部に触れることで、検知部の酸素原子が脱離し、検知部の電気抵抗が低下することによりガス漏洩を検知する半導体ガスセンサを適用できる。
【００１８】  さらに、室内機２ａ、２ｂの化粧パネル５には、冷媒センサー９によって冷媒の漏洩が検知されたとき、冷媒の漏洩が発生した旨を報知するための報知部である表示部１０およびスピーカー１１が設けられている。本実施の形態１の場合、表示部１０は、ＬＥＤ（発光ダイオード）からなるが、これに限ることはない。このとき、表示部１０およびスピーカー１１は、化粧パネル５において隣り合って設けられている。これにより、冷媒の漏洩に関して報知する際、表示部１０における発光と、スピーカー１１における音とが隣り合った状態で報知するため、ユーザーに対する注意度を高めることができる。また、表示部１０およびスピーカー１１が隣り合った状態で設けられるので、メンテナンス時における部品の交換を容易とし、サービス性の向上を図ることができる。
【００１９】  さらに、本実施の形態１の場合、室内機２ａ、２ｂには、室内機の「ＯＮ」または「ＯＦＦ」操作、温度、風量、風向およびタイマー等の詳細な設定を操作可能なワイヤード型のリモコン１２が、制御部１３と配線１４を介して接続された状態で設けられている。また、リモコン１２は、配線１４を介して室外機３とも接続されている。
【００２０】  リモコン１２には、ネットワークを介して外部の端末機器２０と通信可能な通信部１５が設けられている。具体的に、通信部１５と外部の端末機器２０との間のネットワークとしては、無線ＬＡＮ（Ｌｏｃａｌ Ａｒｅａ Ｎｅｔｗｏｒｋ）、Ｂｌｕｅｔｏｏｔｈ（登録商標）等の近距離無線通信、またはインターネット、携帯電話網等の通信網を広く適用できる。
【００２１】  制御部１３は冷媒センサー９が冷媒の漏洩を検知した場合、冷媒の漏洩が発生した旨を報知するように表示部１０またはスピーカー１１の少なくとも一方を制御すると共に、外部の端末機器２０に対しても当該報知を行うように通信部１５を介して制御する。この外部の端末機器２０としては、パソコン、スマートフォン、携帯電話、またはタブレット端末等の音、光または表示等の報知が可能なものであれば、種々の端末を適用することができる。
【００２２】  本実施の形態１の場合、報知部としての表示部１０、スピーカー１１および外部の端末機器２０は、冷媒センサー９によって冷媒の漏洩が検知されると、当該冷媒の漏洩が発生した旨を報知し、ユーザーに冷媒の漏洩を認識させる装置である。表示部１０、スピーカー１１および外部の端末機器２０と、制御部１３とは、有線または無線によって接続されている。冷媒センサー９によって冷媒の漏洩が検知された場合、制御部１３の制御によって前述の報知を行う。スピーカー１１による報知の方法としては、例えば、ブザー等の警報音を吹鳴させたり、冷媒が漏洩している旨の音声でアナウンスしたりすることによってユーザーに冷媒が漏洩していることを報知する。あるいは、表示部１０による報知の方法としては、例えば、警告灯等を点灯または点滅させ、発光によってユーザーに冷媒が漏洩していることを報知してもよい。あるいは、表示部１０に冷媒が漏洩している旨の文字を表示させ、文字によってユーザーに冷媒が漏洩していることを報知してもよい。あるいは、表示部１０およびスピーカー１１の両方を用いた報知の方法としては、音、光、および表示を組み合わせてユーザーに冷媒の漏洩を報知してもよい。さらに、外部の端末機器２０を用いた報知の方法としては、音、光、および表示を組み合わせてユーザーに冷媒の漏洩を報知してもよい。さらに、冷媒の漏洩が発生した室内機２ａ（２ｂ）を、その他の室内機２ｂ（２ａ）と異なった態様で報知するようにしてもよい。このときの態様としては、例えば、表示部１０の点灯色を変えたり、表示する文言を変えたり、スピーカー１１でのブザー音を変えたり、またはスピーカー１１でのアナウンスする文言を変えたり等が挙げられる。
【００２３】  また、室内機２ａ、２ｂの化粧パネル５には、温度、風量および風向等の簡易な空調設定を操作可能なワイヤレス型のリモコン１６から送信される操作信号を受信する受光部１７が設けられている。さらに、室内機２ａ、２ｂの化粧パネル５には、周囲に存在する人を検知する温度センサーとしての人感センサー１８が設けられている。なお、通信部１５はリモコン１２に限らず、リモコン１６または双方のリモコン１２、１６または化粧パネル５に設けられてもよい。このとき、受光部１７および人感センサー１８は、化粧パネル５において対向する位置に設置されている。さらに、受光部１７は、化粧パネル５において、表示部１０およびスピーカー１１と隣り合って設けられている。これにより、受光部１７を表示部１０およびスピーカー１１と隣り合った状態で設けるので、メンテナンス時における部品の交換を容易とし、サービス性の向上を図ることができる。また、表示部１０およびスピーカー１１を人感センサー１８から離して配置することで、これら表示部１０およびスピーカー１１による発熱によって、人感センサー１８の検知における温度ズレを未然に防止することができる。
【００２４】  さらに、室内機２ａ、２ｂと室外機３とを接続する冷媒配管４ａ、４ｂには、室内機２ａ、２ｂと室外機３との間における冷媒の流通を遮断するための遮断弁１９が設けられている。この遮断弁１９は、冷媒センサー９によって冷媒の漏洩が検知された場合、制御部１３によって開状態から閉状態に切り替えられることで、冷媒の漏洩が発生した室内機２ａ、２ｂを隔離することが可能になっている。
【００２５】  また、冷媒センサー９によって冷媒の漏洩が検知された場合、室内機２ａ、２ｂの送風機７を強制運転させる。ここで、強制運転とは、室内機２ａ、２ｂの送風機７が停止している状態または運転している状態であっても、強風の状態で運転させることを意味する。これにより、室内Ｅに漏洩した冷媒を拡散させ、冷媒が溜まることによって冷媒濃度の高い箇所が生じるのを未然に回避できる。さらに、冷媒センサー９によって冷媒の漏洩が検知された場合、室内機２ａ、２ｂの送風機７の強制運転と、遮断弁１９による冷媒の漏洩が発生した室内機２ａ、２ｂの隔離と、を併用することで、冷媒の漏洩の拡大を回避できる。
【００２６】＜冷媒回路について＞  図３は、本発明の実施の形態１に係る空気調和装置１の冷媒回路を示す模式図である。図３に示すように、空気調和装置１は、冷媒を介して外気と室内の空気との間で熱を移動させることにより、室内を暖房または冷房して空気調和を行う。空気調和装置１は、室外機３と、室内機２ａ、２ｂとを有する。なお、室内機２ａ、２ｂは同一の構成からなるため、ここでは便宜上、室内機２ａ、２ｂの一方のみを図示して説明することとする。
【００２７】  空気調和装置１は、室外機３と室内機２ａ、２ｂとが冷媒配管４ａ、４ｂにより配管接続され、冷媒が循環する冷媒回路３０が構成されている。そして、空気調和装置１の冷媒回路３０では、圧縮機３１、流路切替装置３２、室外熱交換器３３、膨張弁３４、室内熱交換器３５が冷媒配管４ａ、４ｂを介して接続されている。
【００２８】  室外機３は、圧縮機３１、流路切替装置３２、室外熱交換器３３および、膨張弁３４を有している。圧縮機３１は、吸入した冷媒を圧縮して吐出する。ここで、圧縮機３１は、インバータ装置を備えていてもよく、インバータ装置によって運転周波数を変化させて、圧縮機３１の容量を変更することができるように構成されてもよい。なお、圧縮機３１の容量とは、単位時間当たりに送り出す冷媒の量である。流路切替装置３２は、例えば四方弁であり、冷媒流路の方向の切り換えが行われる装置である。
【００２９】  空気調和装置１は、制御部１３（図１）からの指示に基づいて、流路切替装置３２を用いて冷媒の流れを切り換えることで、暖房運転または冷房運転を実現することができる。室外熱交換器３３は、冷媒と室外空気との熱交換を行う。室外熱交換器３３は、暖房運転時には蒸発器の働きをし、冷媒配管４ｂから流入した低圧の冷媒と室外空気との間で熱交換を行って冷媒を蒸発させて気化させ、冷媒配管４ａ側に流出させる。室外熱交換器３３は、冷房運転時には、凝縮器の働きをし、流路切替装置３２側から流入した圧縮機３１で圧縮済の冷媒と室外空気との間で熱交換を行って、冷媒を凝縮させて液化させる。室外熱交換器３３には、冷媒と室外空気との間の熱交換の効率を高めるために、室外送風機３６が設けられている。室外送風機３６は、インバータ装置を取り付け、ファンモータの運転周波数を変化させてファンの回転速度を変更してもよい。膨張弁３４は、絞り装置（流量制御手段）であり、膨張弁３４を流れる冷媒の流量を調節することにより、膨張弁として機能し、開度を変化させることで、冷媒の圧力を調整する。例えば、膨張弁３４が、電子式膨張弁等で構成された場合は、制御部１３（図１）等の指示に基づいて開度調整が行われる。
【００３０】  室内機２ａ、２ｂは、冷媒と室内空気との間で熱交換を行う室内熱交換器３５および、室内熱交換器３５が熱交換を行う空気の流れを調整する送風機７を有する。また、室内機２ａ、２ｂは、冷媒回路３０内で使用される冷媒が漏洩したことを検知する冷媒センサー９を有する。
【００３１】  室内熱交換器３５は、暖房運転時において凝縮器の働きをし、冷媒配管４ａから流入した冷媒と室内空気との間で熱交換を行い、冷媒を凝縮させて液化させ、冷媒配管４ｂ側に流出させる。室内熱交換器３５は、冷房運転時には蒸発器の働きをし、膨張弁３４によって低圧状態にされた冷媒と室内空気との間で熱交換を行い、冷媒に空気の熱を奪わせて蒸発させて気化させ、冷媒配管４ａ側に流出させる。送風機７の運転速度は、ユーザーの設定により決定される。送風機７には、インバータ装置を取り付け、ファンモータの運転周波数を変化させてファンの回転速度を変更してもよい。
【００３２】＜空気調和装置１の冷房および暖房運転の動作例＞  次に、空気調和装置１の動作例として冷房運転の動作を説明する。圧縮機３１によって圧縮され吐出された高温高圧のガス冷媒は、流路切替装置３２を経由して、室外熱交換器３３に流入する。室外熱交換器３３に流入したガス冷媒は、室外送風機３６により送風される外気との熱交換により凝縮し、低温の冷媒となって、室外熱交換器３３から流出する。室外熱交換器３３から流出した冷媒は、膨張弁３４によって膨張および減圧され、低温低圧の気液二相冷媒となる。この気液二相冷媒は、室内機２ａ、２ｂの室内熱交換器３５に流入し、送風機７により送風される室内空気との熱交換により蒸発し、低温低圧のガス冷媒となって室内熱交換器３５から流出する。このとき、冷媒に吸熱されて冷却された室内空気は、空調空気（吹出風）となって、室内機２ａ、２ｂから空調対象空間である室内Ｅ（図２）に吹き出される。室内熱交換器３５から流出したガス冷媒は、流路切替装置３２を経由して圧縮機３１に吸入され、再び圧縮される。空気調和装置１の冷房運転は、以上の動作が繰り返される。
【００３３】  次に、空気調和装置１の動作例として暖房運転の動作を説明する。圧縮機３１によって圧縮され吐出された高温高圧のガス冷媒は、流路切替装置３２を経由して、室内機２ａ、２ｂの室内熱交換器３５に流入する。室内熱交換器３５に流入したガス冷媒は、送風機７により送風される室内空気との熱交換により凝縮し、低温の冷媒となって、室内熱交換器３５から流出する。このとき、ガス冷媒から熱を受け取り暖められた室内空気は、空調空気（吹出風）となって、室内機２ａ、２ｂから室内Ｅ（図２）に吹き出される。室内熱交換器３５から流出した冷媒は、膨張弁３４によって膨張および減圧され、低温低圧の気液二相冷媒となる。この気液二相冷媒は、室外機３の室外熱交換器３３に流入し、室外送風機３６により送風される外気との熱交換により蒸発し、低温低圧のガス冷媒となって室外熱交換器３３から流出する。室外熱交換器３３から流出したガス冷媒は、流路切替装置３２を経由して圧縮機３１に吸入され、再び圧縮される。空気調和装置１の暖房運転は、以上の動作が繰り返される。
【００３４】＜実施の形態１における効果＞  以上、説明したように、本実施の形態１の空気調和装置１では、制御部１３が、冷媒センサー９によって冷媒の漏洩が検知された場合、冷媒の漏洩が発生した旨を報知するように表示部１０およびスピーカー１１を制御する。これと共に、制御部１３が、冷媒の漏洩が発生した旨を報知するように通信部１５を介して外部の端末機器２０を制御する。これにより、本実施の形態１の空気調和装置１では、冷媒の漏洩に関する警告を、室内機２ａ、２ｂの化粧パネル５に設けられた表示部１０およびスピーカー１１のみならず外部の端末機器２０においても報知することができる。よって、室内機２ａ、２ｂの近くにいないユーザーにも当該報知に対する注意度を高めて気付かせ易くすることができ、冷媒の漏洩を十分に周知させることができる。
【００３５】  また、制御部１３が、冷媒センサー９によって冷媒の漏洩が検知された室内機２ａ（２ｂ）と、その他の室内機２ｂ（２ａ）とで、冷媒の漏洩が発生した旨の報知を異ならせるように表示部１０およびスピーカー１１を制御することが好ましい。これにより、冷媒の漏洩を生じている室内機２ａ（２ｂ）を、その他の室内機２ｂ（２ａ）と区別して報知でき、メンテナンスの際に容易に識別できる。
【００３６】変形例  次に、図４〜図１０を参照しながら、本発明の他の実施の形態に係る室内機２ａ、２ｂの化粧パネル５について説明する。なお、ここでは、化粧パネル５における表示部１０およびスピーカー１１並びに受光部１７および人感センサー１８の配置についての説明であり、その他の構成については前述した実施の形態１と同様であるため、重複する説明は割愛するものとする。
【００３７】  図４は、本発明の他の実施の形態に係る空気調和装置の室内機を示す平面図である。この場合、化粧パネル５において、受光部１７と人感センサー１８とが対角線上に配置され、表示部１０およびスピーカー１１が、人感センサー１８と隣り合って配置されている。これにより、冷媒の漏洩に関して報知する際、表示部１０における発光と、スピーカー１１における音とが隣り合った状態で報知するため、ユーザーに対する注意度を高めることができる。また、表示部１０、スピーカー１１、および人感センサー１８が隣り合った状態で設けられるので、メンテナンス時における部品の交換を容易とし、サービス性の向上を図ることができる。
【００３８】  図５は、本発明の他の実施の形態に係る空気調和装置の室内機を示す平面図である。この場合、化粧パネル５において、受光部１７と人感センサー１８とが対角線上に配置され、表示部１０が人感センサー１８と隣り合って配置され、スピーカー１１が受光部１７と隣り合って配置されている。これにより、冷媒の漏洩に関して報知する際、表示部１０に  おける発光と、スピーカー１１における音とが対角線上に離間していることから拡散状態で報知するため、ユーザーに対する注意度を高めることができる。また、表示部１０と人感センサー１８とが隣り合った状態で設けられ、スピーカー１１と受光部１７とが隣り合った状態で設けられるので、メンテナンス時における部品の交換を容易とし、サービス性の向上を図ることができる。
【００３９】  図６は、本発明の他の実施の形態に係る空気調和装置の室内機を示す平面図である。この場合、化粧パネル５において、受光部１７と人感センサー１８とが対角線上に配置され、これらに直交する対角線上に表示部１０とスピーカー１１とが配置されている。すなわち、化粧パネル５において、表示部１０、スピーカー１１、受光部１７および人感センサー１８の全てが離間した状態で配置されている。これにより、冷媒の漏洩に関して報知する際、表示部１０における発光と、スピーカー１１における音とが対角線上に離間していることから拡散状態で報知するため、ユーザーに対する注意度を高めることができる。また、表示部１０およびスピーカー１１を人感センサー１８から離して配置することで、これら表示部１０およびスピーカー１１による発熱によって、人感センサー１８の検知における温度ズレを未然に防止することができる。
【００４０】  図７は、本発明の他の実施の形態に係る空気調和装置の室内機を示す平面図である。この場合、化粧パネル５において、受光部１７と人感センサー１８とが対角線上に配置され、表示部１０が受光部１７と隣り合って配置されると共に、スピーカー１１が、受光部１７および人感センサー１８とは離間して配置されている。これにより、冷媒の漏洩に関して報知する際、表示部１０における発光と、スピーカー１１における音とが離間して拡散した状態で報知するため、ユーザーに対する注意度を高めることができる。また、表示部１０と受光部１７とが隣り合った状態で設けられるので、メンテナンス時における部品の交換を容易とし、サービス性の向上を図ることができる。また、表示部１０、スピーカー１１、および受光部１７が人感センサー１８から離して配置されることで、これら表示部１０およびスピーカー１１による発熱によって、人感センサー１８の検知における温度ズレを未然に防止することができる。
【００４１】  図８は、本発明の他の実施の形態に係る空気調和装置の室内機を示す平面図である。この場合、化粧パネル５において、受光部１７と人感センサー１８とが対角線上に配置され、スピーカー１１が受光部１７と隣り合って配置されると共に、表示部１０が、受光部１７および人感センサー１８とは離間して配置されている。これにより、冷媒の漏洩に関して報知する際、表示部１０における発光と、スピーカー１１における音とが離間して拡散した状態で報知するため、ユーザーに対する注意度を高めることができる。また、スピーカー１１と受光部１７とが隣り合った状態で設けられるので、メンテナンス時における部品の交換を容易とし、サービス性の向上を図ることができる。また、表示部１０、スピーカー１１、および受光部１７が人感センサー１８から離して配置されることで、これら表示部１０およびスピーカー１１による発熱によって、人感センサー１８の検知における温度ズレを未然に防止することができる。
【００４２】  図９は、本発明の他の実施の形態に係る空気調和装置の室内機を示す平面図である。この場合、化粧パネル５において、受光部１７と人感センサー１８とが対角線上に配置され、スピーカー１１が人感センサー１８と隣り合って配置されると共に、表示部１０が、受光部１７および人感センサー１８とは離間して配置されている。これにより、冷媒の漏洩に関して報知する際、表示部１０における発光と、スピーカー１１における音とが離間して拡散した状態で報知するため、ユーザーに対する注意度を高めることができる。また、スピーカー１１と人感センサー１８とが隣り合った状態で設けられるので、メンテナンス時における部品の交換を容易とし、サービス性の向上を図ることができる。
【００４３】  図１０は、本発明の他の実施の形態に係る空気調和装置の室内機を示す平面図である。この場合、化粧パネル５において、受光部１７と人感センサー１８とが対角線上に配置され、表示部１０が人感センサー１８と隣り合って配置されると共に、スピーカー１１が、受光部１７および人感センサー１８とは離間して配置されている。これにより、冷媒の漏洩に関して報知する際、表示部１０における発光と、スピーカー１１における音とが離間して拡散した状態で報知するため、ユーザーに対する注意度を高めることができる。また、表示部１０と人感センサー１８とが隣り合った状態で設けられるので、メンテナンス時における部品の交換を容易とし、サービス性の向上を図ることができる。
【符号の説明】
【００４４】  １  空気調和装置、２ａ  室内機、２ｂ  室内機、３  室外機、４ａ、４ｂ  冷媒配管、５  化粧パネル、６  吸込口、７  送風機、８ａ、８ｂ、８ｃ、８ｄ  ルーバー、９    冷媒センサー、１０  表示部、１１  スピーカー、１２  リモコン、１３  制御部、１４  配線、１５  通信部、１６  リモコン、１７  受光部、１８  人感センサー、１９  遮断弁、２０  端末機器、３０  冷媒回路、３１  圧縮機、３２  流路切替装置、３３  室外熱交換器、３４  膨張弁、３５  室内熱交換器、３６  室外送風機、Ｅ  室内、Ｒ  天井面。
【図１】
2020110216.tif 000003
【図２】
2020110216.tif 000004
【図３】
2020110216.tif 000005
【図４】
2020110216.tif 000006
【図５】
2020110216.tif 000007
【図６】
2020110216.tif 000008
【図７】
2020110216.tif 000009
【図８】
2020110216.tif 000010
【図９】
2020110216.tif 000011
【図１０】
2020110216.tif 000012
【手続補正書】
【提出日】令和2年12月4日(2020.12.4)
【手続補正１】
【補正対象書類名】明細書
【補正対象項目名】００１０
【補正方法】変更
【補正の内容】
【００１０】
本発明に係る空気調和装置は、室内機と室外機とが冷媒を流通する冷媒配管を介して接続された空気調和装置であって、前記室内機における前記冷媒の漏洩を検知する冷媒検知部と、前記冷媒の漏洩が発生した旨を報知するための報知部と、ネットワークを介して外部の端末機器と通信可能な通信部と、少なくとも前記報知部および前記通信部を制御する制御部と、を備え、前記報知部には、前記室内機を操作するためのリモコンにおける表示部に加えて、前記室内機の筐体表面に設けられた表示部またはスピーカーのうちの少なくとも一つと、前記外部の端末機器とが含まれ、前記室内機の前記筐体表面に設けられた前記表示部と前記スピーカーとの少なくとも一方が、前記筐体表面に設けられた温度センサーまたは前記リモコンからの操作信号を受信するための受光部の少なくとも一方と隣り合って設置されており、前記制御部は、前記冷媒検知部によって前記冷媒の漏洩が検知された場合、前記冷媒の漏洩が発生した旨を報知するように前記報知部および前記通信部を制御するものである。
【手続補正２】
【補正対象書類名】特許請求の範囲
【補正対象項目名】全文
【補正方法】変更
【補正の内容】
【特許請求の範囲】
【請求項１】
室内機と室外機とが冷媒を流通する冷媒配管を介して接続された空気調和装置であって、
前記室内機における前記冷媒の漏洩を検知する冷媒検知部と、
前記冷媒の漏洩が発生した旨を報知するための報知部と、
ネットワークを介して外部の端末機器と通信可能な通信部と、
少なくとも前記報知部および前記通信部を制御する制御部と、を備え、
前記報知部には、
前記室内機を操作するためのリモコンにおける表示部に加えて、前記室内機の筐体表面に設けられた表示部またはスピーカーのうちの少なくとも一つと、前記外部の端末機器とが含まれ、
前記室内機の前記筐体表面に設けられた前記表示部と前記スピーカーとの少なくとも一方が、前記筐体表面に設けられた温度センサーまたは前記リモコンからの操作信号を受信するための受光部の少なくとも一方と隣り合って設置されており、
前記制御部は、
前記冷媒検知部によって前記冷媒の漏洩が検知された場合、前記冷媒の漏洩が発生した旨を報知するように前記報知部および前記通信部を制御する空気調和装置。
【請求項２】
室内機と室外機とが冷媒を流通する冷媒配管を介して接続された空気調和装置であって、
前記室内機における前記冷媒の漏洩を検知する冷媒検知部と、
前記冷媒の漏洩が発生した旨を報知するための報知部と、
ネットワークを介して外部の端末機器と通信可能な通信部と、
少なくとも前記報知部および前記通信部を制御する制御部と、を備え、
前記報知部には、
前記室内機を操作するためのリモコンにおける表示部に加えて、前記室内機の筐体表面に設けられた表示部またはスピーカーのうちの少なくとも一つと、前記外部の端末機器とが含まれ、
前記室内機の前記筐体表面に設けられた前記表示部と前記スピーカーとの少なくとも一方が、前記筐体表面に設けられた温度センサーまたは前記リモコンからの操作信号を受信するための受光部の少なくとも一方と離間して設置されており、
前記制御部は、
前記冷媒検知部によって前記冷媒の漏洩が検知された場合、前記冷媒の漏洩が発生した旨を報知するように前記報知部および前記通信部を制御する空気調和装置。
【請求項３】
前記通信部は、前記リモコンに設けられている請求項１または２に記載の空気調和装置。
【請求項４】
前記冷媒配管に設けられ、前記室内機と前記室外機との間における前記冷媒の流通を遮断するための遮断弁を更に備え、
前記制御部は、
前記冷媒検知部によって前記冷媒の漏洩が検知された場合、前記遮断弁を開状態から閉状態に切り替える請求項１〜３のいずれか一項に記載の空気調和装置。
【請求項５】
前記制御部は、
前記冷媒検知部によって前記冷媒の漏洩が検知された場合、前記室内機の送風機を強制運転させる請求項１〜４のいずれか一項に記載の空気調和装置。
【請求項６】
前記室内機が複数設けられ、
前記制御部は、
複数の前記室内機のうち、前記冷媒検知部によって前記冷媒の漏洩が検知された室内機と、その他の室内機とで、前記冷媒の漏洩が発生した旨の報知を異ならせるように前記報知部を制御する請求項１〜５のいずれか一項に記載の空気調和装置。
【国際調査報告】
2020110216.tif 000013
2020110216.tif 000014
2020110216.tif 000015
2020110216.tif 000016